(57)【要約】  ワイヤレス通信システムにおいてＵＥによってセルの探索が実施され、ある周波数帯域において、ＳＳを含むブロックを探索することと、ブロック内にＳＳを見つけることに応じて、ブロック内に残りのシステム情報が見つからない周波数範囲の指標があるかどうかを判断することと、ブロック内に指標があることに応じて、特定の周波数の後の周波数においてセルを探索することを継続することとを含む。ネットワーク要素は、ある周波数帯域で送信されるブロック内および後続のブロック内において残りのシステム情報が送信されないことを判断し、セルを探索するためにＵＥのために使用されるＳＳ、および送信されるブロックに対応する現在の周波数からの周波数範囲の指標を含むブロックを、残りのシステム情報が見つからない周波数帯域において、送信する。
2021511717.tif 000002
【特許請求の範囲】
【請求項１】
方法であって、
ワイヤレス通信システムにおいてセルの探索を実施することであって、
ユーザ機器により、ある周波数帯域において、同期信号を含むブロックを探索することと、
前記ユーザ機器により、前記ブロック内に前記同期信号を見つけることに応じて、前記ブロック内に残りのシステム情報が見つからない周波数範囲の指標があるかどうかを判断することと、
前記ユーザ機器により、前記ブロック内に前記指標があることに応じて、特定の周波数の後の周波数においてセルを探索することを継続することと
を含む、セルの探索を実施すること
を含む、方法。
【請求項２】
前記方法が、前記ユーザ機器により、前記ブロック内に前記指標があることに応じて、前記ブロックに対応する現在の周波数から、前記示された周波数範囲後の特定の周波数までの周波数における前記探索をスキップすることをさらに含む、請求項１に記載の方法。
【請求項３】
前記ブロックが、ブロックのバーストセットの一部である、請求項１または２に記載の方法。
【請求項４】
前記ブロックが、同期信号／物理ブロードキャストチャネルブロックを含む、請求項１〜３のいずれかに記載の方法。
【請求項５】
同期信号を含む前記ブロックが、第１のキャリアの周波数範囲にある、請求項１〜４のいずれかに記載の方法。
【請求項６】
前記指標が、周波数において探索し続けるべき１つまたは複数の方向をさらに示す、請求項１〜５のいずれかに記載の方法。
【請求項７】
前記指標が、前記特定の周波数の後の周波数においてセルを探索することを前記継続することがどこで実施されるかを決定するために使用される複数の同期信号ラスタステップをさらに示す、請求項１〜５のいずれかに記載の方法。
【請求項８】
前記指標が、現在の周波数から双方向における最小周波数範囲をさらに示す、請求項１〜５のいずれかに記載の方法。
【請求項９】
前記指標が、現在の周波数から第１の方向における第１の周波数範囲、および前記現在の周波数から第２の方向における第２の周波数範囲をさらに示す、請求項１〜５のいずれかに記載の方法。
【請求項１０】
前記指標が、４ビットブロックに分割される部分を含み、第１の４ビットブロックは、現在の周波数から低周波数範囲に向けて相対的な手法で周波数範囲を示しており、第２の４ビットブロックは、前記現在の周波数から高周波数範囲に向けて相対的な手法で周波数範囲を示している、請求項１〜５のいずれかに記載の方法。
【請求項１１】
前記実施されるセル探索の結果が、前記ユーザ機器が留まって初期アクセスを実施することができる少なくとも１つのセルを、前記ユーザ機器が見つけたことである、請求項１〜１０のいずれかに記載の方法。
【請求項１２】
方法であって、
ワイヤレス通信システムにおいてユーザ機器と通信することができるネットワーク要素により、ある周波数帯域で送信されるブロック内および１つまたは複数の後続のブロック内において残りのシステム情報が送信されないことを判断することと、
前記ブロックを送信することであって、前記ブロックが、同期信号を含み、セルを探索するためにユーザ機器のために使用され、前記送信されるブロックに対応する現在の周波数からの周波数範囲の指標を前記ブロック内に含んでおり、残りのシステム情報が見つからない前記周波数帯域において、送信することと
を含む、方法。
【請求項１３】
前記ブロックが、前記１つまたは複数の後続のブロックをさらに含む、ブロックのバーストセットの一部である、請求項１２に記載の方法。
【請求項１４】
前記ブロックが、同期信号／物理ブロードキャストチャネルブロックを含む、請求項１２または１３に記載の方法。
【請求項１５】
同期信号を含む前記ブロックが、前記ネットワーク要素によって形成される第１のキャリアの周波数範囲にあり、前記示される周波数範囲が、前記示される周波数範囲が前記現在の周波数から前記第１のキャリアの終了周波数までの前記第１のキャリアの残りの周波数範囲を包含するように規定される、請求項１２〜１４のいずれかに記載の方法。
【請求項１６】
前記指標が、前記ユーザ機器に、前記ブロックについての現在の周波数から前記示される周波数範囲の後までの周波数において残りのシステム情報が見つからないことを示し、前記指標が、周波数において残りのシステム情報が見つからない方向をさらに示す、請求項１２〜１５のいずれかに記載の方法。
【請求項１７】
前記指標が、前記ユーザ機器に、前記ブロックについての現在の周波数から前記示される周波数範囲の後までの周波数において残りのシステム情報が見つからないことを示し、前記指標が、残りのシステム情報が見つからない複数の同期信号ラスタステップをさらに示す、請求項１２〜１５のいずれかに記載の方法。
【請求項１８】
前記指標が、前記ユーザ機器に、前記ブロックについての現在の周波数から前記示される周波数範囲の後までの周波数において残りのシステム情報が見つからないことを示し、前記指標が、残りのシステム情報が見つからない前記現在の周波数から双方向における最小周波数範囲をさらに示す、請求項１２〜１５のいずれかに記載の方法。
【請求項１９】
前記指標が、前記ユーザ機器に、前記ブロックについての現在の周波数から前記示される周波数範囲の後までの周波数において残りのシステム情報が見つからないことを示し、前記指標が、残りのシステム情報が見つからない現在の周波数から第１の方向における第１の周波数範囲、および残りのシステム情報が見つからない前記現在の周波数から第２の方向における第２の周波数範囲をさらに示す、請求項１２〜１５のいずれかに記載の方法。
【請求項２０】
コンピュータプログラムであって、プロセッサ上で実行される時、請求項１〜１９のいずれかに記載の方法を実施するためのコードを含む、コンピュータプログラム。
【請求項２１】
前記コンピュータプログラムが、コンピュータで使用するための、コンピュータプログラムコードを具体化して有するコンピュータ可読媒体を含むコンピュータプログラム製品である、請求項２０に記載のコンピュータプログラム。
【請求項２２】
装置であって、
ワイヤレス通信システムにおいてセルの探索を実施するための手段であって、
ユーザ機器により、ある周波数帯域において、同期信号を含むブロックを探索するための手段と、
前記ユーザ機器により、前記ブロック内に前記同期信号を見つけることに応じて、前記ブロック内に残りのシステム情報が見つからない周波数範囲の指標があるかどうかを判断するための手段と、
前記ユーザ機器により、前記ブロック内に前記指標があることに応じて、特定の周波数の後の周波数においてセルを探索することを継続するための手段と
を含む、セルの探索を実施するための手段
を備える、装置。
【請求項２３】
前記装置が、前記ユーザ機器により、前記ブロック内に前記指標があることに応じて、前記ブロックに対応する現在の周波数から、前記示された周波数範囲後の特定の周波数までの周波数における前記探索をスキップするための手段をさらに備える、請求項２２に記載の装置。
【請求項２４】
前記ブロックが、ブロックのバーストセットの一部である、請求項２２または２３に記載の装置。
【請求項２５】
前記ブロックが、同期信号／物理ブロードキャストチャネルブロックを含む、請求項２２〜２４のいずれかに記載の装置。
【請求項２６】
同期信号を含む前記ブロックが、第１のキャリアの周波数範囲にある、請求項２２〜２４のいずれかに記載の装置。
【請求項２７】
前記指標が、周波数において探索し続けるべき１つまたは複数の方向をさらに示す、請求項２２〜２６のいずれかに記載の装置。
【請求項２８】
前記指標が、前記特定の周波数の後の周波数においてセルを探索することを前記継続することがどこで実施されるかを決定するために使用される複数の同期信号ラスタステップをさらに示す、請求項２２〜２６のいずれかに記載の装置。
【請求項２９】
前記指標が、現在の周波数から双方向における最小周波数範囲をさらに示す、請求項２２〜２６のいずれかに記載の装置。
【請求項３０】
前記指標が、現在の周波数から第１の方向における第１の周波数範囲、および前記現在の周波数から第２の方向における第２の周波数範囲をさらに示す、請求項２２〜２６のいずれかに記載の装置。
【請求項３１】
前記指標が、４ビットブロックに分割される部分を含み、第１の４ビットブロックは、現在の周波数から低周波数範囲に向けて相対的な手法で周波数範囲を示しており、第２の４ビットブロックは、前記現在の周波数から高周波数範囲に向けて相対的な手法で周波数範囲を示している、請求項２２〜２６のいずれかに記載の装置。
【請求項３２】
前記実施されるセル探索の結果が、前記ユーザ機器が留まって初期アクセスを実施することができる少なくとも１つのセルを、前記ユーザ機器が見つけたことである、請求項２２〜３１のいずれかに記載の装置。
【請求項３３】
装置であって、
ワイヤレス通信システムにおいてユーザ機器と通信することができるネットワーク要素により、ある周波数帯域で送信されるブロック内および１つまたは複数の後続のブロック内において残りのシステム情報が送信されないことを判断するための手段と、
前記ブロックを送信するための手段であって、前記ブロックが同期信号を含み、セルを探索するためにユーザ機器のために使用され、前記送信されるブロックに対応する現在の周波数からの周波数範囲の指標を前記ブロック内に含んでおり、残りのシステム情報が見つからない前記周波数帯域において、送信するための手段と
を備える、装置。
【請求項３４】
前記ブロックが、前記１つまたは複数の後続のブロックをさらに含む、ブロックのバーストセットの一部である、請求項３３に記載の装置。
【請求項３５】
前記ブロックが、同期信号／物理ブロードキャストチャネルブロックを含む、請求項３３または３４に記載の装置。
【請求項３６】
同期信号を含む前記ブロックが、前記ネットワーク要素によって形成される第１のキャリアの周波数範囲にあり、前記示される周波数範囲が、前記示される周波数範囲が前記現在の周波数から前記第１のキャリアの終了周波数までの前記第１のキャリアの残りの周波数範囲を包含するように規定される、請求項３３〜３５のいずれかに記載の装置。
【請求項３７】
前記指標が、前記ユーザ機器に、前記ブロックについての現在の周波数から前記示される周波数範囲の後までの周波数において残りのシステム情報が見つからないことを示し、前記指標が、周波数において残りのシステム情報が見つからない方向をさらに示す、請求項３３〜３６のいずれかに記載の装置。
【請求項３８】
前記指標が、前記ユーザ機器に、前記ブロックについての現在の周波数から前記示される周波数範囲の後までの周波数において残りのシステム情報が見つからないことを示し、前記指標が、残りのシステム情報が見つからない複数の同期信号ラスタステップをさらに示す、請求項３３〜３６のいずれかに記載の装置。
【請求項３９】
前記指標が、前記ユーザ機器に、前記ブロックについての現在の周波数から前記示される周波数範囲の後までの周波数において残りのシステム情報が見つからないことを示し、前記指標が、残りのシステム情報が見つからない前記現在の周波数から双方向における最小周波数範囲をさらに示す、請求項３３〜３６のいずれかに記載の装置。
【請求項４０】
前記指標が、前記ユーザ機器に、前記ブロックについての現在の周波数から前記示される周波数範囲の後までの周波数において残りのシステム情報が見つからないことを示し、前記指標が、残りのシステム情報が見つからない現在の周波数から第１の方向における第１の周波数範囲、および残りのシステム情報が見つからない前記現在の周波数から第２の方向における第２の周波数範囲をさらに示す、請求項３３〜３６のいずれかに記載の装置。
【請求項４１】
請求項２２〜３２に記載の装置のいずれか１つと、請求項３３〜４０に記載の装置のいずれか１つとを備える、通信システム。
【請求項４２】
装置であって、
少なくとも１つのプロセッサと、
コンピュータプログラムコードを含む、少なくとも１つのメモリと
を備え、
前記少なくとも１つのメモリおよび前記コンピュータプログラムコードが、前記少なくとも１つのプロセッサにより、前記装置に、
ワイヤレス通信システムにおいてセルの探索を実施することであって、
ユーザ機器により、ある周波数帯域において、同期信号を含むブロックを探索することと、
前記ユーザ機器により、前記ブロック内に前記同期信号を見つけることに応じて、前記ブロック内に残りのシステム情報が見つからない周波数範囲の指標があるかどうかを判断することと、
前記ユーザ機器により、前記ブロック内に前記指標があることに応じて、特定の周波数の後の周波数においてセルを探索することを継続することと
を含む、セルの探索を実施すること
を含む動作を実施させるように構成される、装置。
【請求項４３】
装置であって、
少なくとも１つのプロセッサと、
コンピュータプログラムコードを含む、少なくとも１つのメモリと
を備え、
前記少なくとも１つのメモリおよび前記コンピュータプログラムコードが、前記少なくとも１つのプロセッサにより、前記装置に、
ワイヤレス通信システムにおいてユーザ機器と通信することができるネットワーク要素により、ある周波数帯域で送信されるブロック内および１つまたは複数の後続のブロック内において残りのシステム情報が送信されないことを判断することと、
前記ブロックを送信することであって、前記ブロックが同期信号を含み、セルを探索するためにユーザ機器のために使用され、前記送信されるブロックに対応する現在の周波数からの周波数範囲の指標を前記ブロック内に含んでおり、残りのシステム情報が見つからない前記周波数帯域において、送信することと
を含む動作を実施させるように構成される、装置。
【発明の詳細な説明】
【技術分野】
【０００１】
本発明は、一般に、ワイヤレス通信システム用の物理層設計に関し、より詳細には、ニューラジオ（ＮＲ）物理層設計に関する。
【背景技術】
【０００２】
本セクションは、以下で開示される発明に対する背景またはコンテキストを提供するよう意図されている。本明細書における説明は、追及することができるが必ずしも以前に着想、実装または説明されたものではない概念を含む場合がある。したがって、本明細書において明示的にそうではないと示されない限り、本セクションで説明されることは、本出願における説明に対する先行技術ではなく、本セクションに含められることにより先行技術であるとは認められない。明細書および／または図面に見られる得る略称は、以下において、発明を実施するための形態セクションの主要部分の後、定義する。
【０００３】
セル探索（cell search）のために、ｇＮＢは周期的に同期信号／物理ブロードキャストチャネル（ＳＳ／ＰＢＣＨ）ブロックのバーストセットを送信しており、このセットは半無線フレーム内の固定時間ドメイン位置において送信されたＬまでのＳＳ／ＰＢＣＨブロックから構成され得る。既知のように、無線フレームは１０ｍｓであり、半無線フレームは５ｍｓである。変数Ｌはキャリア周波数範囲に依存する：
【０００４】
−  ３ＧＨｚを下回る場合、Ｌ＝４である。
【０００５】
−  ３〜６ＧＨｚの間の周波数の場合、Ｌ＝８である。
【０００６】
−  ６ＧＨｚを上回る場合、Ｌ＝６４である。
【０００７】
半フレーム（ＨＦ）内のＳＳ／ＰＢＣＨブロック（ＳＳＢ）の固定時間ドメイン位置は、セルのＳＳＢ用に適用されるサブキャリア間隔に依存する。ＳＳＢは、時間および周波数同期取得ならびに検出されたセルの物理セルＩＤ決定のためのプライマリ同期信号（ＰＳＳ）とセカンダリ同期信号（ＳＳＳ）、ならびにタイミング情報（例えば、スロット、半フレーム、およびフレームタイミング）の取得のため、加えて最も本質的なシステム情報の取得のための復調用参照信号（ＤＭＲＳ）を伴う物理ブロードキャストチャネル（ＰＢＣＨ）を含む。このシステム情報は、制御リソースセット（ＣＯＲＥＳＥＴ）の設定、および残りのシステム情報（ＲＭＳＩ）のＰＤＣＣＨスケジューリングのモニタリングパターンを含む。以下でさらに詳細に述べるように、ＰＢＣＨはＵＥに、実際の（残りの）最低限のシステム情報をペイロードとして搬送するＰＤＳＣＨをスケジューリングするために使用されるＰＤＣＣＨを、ＵＥがどのように受信することができるかに関する情報を与える。
【０００８】
セル探索および初期アクセスのために使用されるＳＳＢは、それぞれの周波数帯域ごとに仕様で規定される所定の同期ラスタ内に配置される。同期ラスタ内に配置されない他の目的用のＳＳＢもあり得る。
【０００９】
上述のように、ＳＳＢ内のＰＢＣＨは、ＣＯＲＥＳＥＴおよびＲＭＳＩをスケジューリングするＰＤＣＣＨ検出用のモニタリングパターン設定を与える。換言すると、ＳＳＢはＲＭＳＩに関連付けられる場合がある。ＳＳＢがＲＭＳＩに関連付けられないこともやはり可能であり、その場合ＰＢＣＨが、ＵＥがＲＭＳＩに関連付けられるＳＳＢを見つけることができる場所を示す。ここでの関連付けは、ＳＳＢおよびＲＭＳＩ（ＰＤＣＣＨ＋ＰＤＳＣＨ）が、ＵＥがサポートする帯域幅を超えない帯域幅内で送信されることを意味している。
【発明の概要】
【００１０】
本セクションは、例を含むよう意図されており、限定的であるようには意図されていない。
【００１１】
例は、ワイヤレス通信システムにおいてセルの探索を実施することであって、ユーザ機器により、ある周波数帯域において、同期信号を含むブロックを探索することと、ユーザ機器により、ブロック内に同期信号を見つけることに応じて、ブロック内に残りのシステム情報が見つからない周波数範囲の指標（indication）があるかどうかを判断することと、ユーザ機器により、ブロック内に指標があることに応じて、特定の周波数の後の周波数においてセルを探索することを継続することとを含む、セルの探索を実施することを含む。
【００１２】
さらなる例示的な実施形態は、コンピュータプログラムであって、プロセッサ上で実行される時、前段落の方法を実施するためのコードを含むコンピュータプログラムを含む。コンピュータプログラムが、コンピュータで使用するための、コンピュータプログラムコードを具体化して有するコンピュータ可読媒体を含むコンピュータプログラム製品である、本段落に記載のコンピュータプログラム。別の例は、プログラムがコンピュータの内部メモリに直接ロード可能である、本段落に記載のコンピュータプログラムである。
【００１３】
例示的な装置は、１つまたは複数のプロセッサと、コンピュータプログラムコードを含む１つまたは複数のメモリとを含む。１つまたは複数のメモリおよびコンピュータプログラムコードは、１つまたは複数のプロセッサにより、装置に、少なくとも、ワイヤレス通信システムにおいてセルの探索を実施することであって、ユーザ機器により、ある周波数帯域において、同期信号を含むブロックを探索することと、ユーザ機器により、ブロック内に同期信号を見つけることに応じて、ブロック内に残りのシステム情報が見つからない周波数範囲の指標があるかどうかを判断することと、ユーザ機器により、ブロック内に指標があることに応じて、特定の周波数の後の周波数においてセルを探索することを継続することと、のためのコードを含む、セルの探索を実施することを実施させるように構成される。
【００１４】
例示的なコンピュータプログラム製品は、コンピュータで使用するための、コンピュータプログラムコードを具体化して有するコンピュータ可読記憶媒体を含む。コンピュータプログラムコードは、ワイヤレス通信システムにおいてセルの探索を実施するためのコードであって、ユーザ機器により、ある周波数帯域において、同期信号を含むブロックを探索するためのコードと、ユーザ機器により、ブロック内に同期信号を見つけることに応じて、ブロック内に残りのシステム情報が見つからない周波数範囲の指標があるかどうかを判断するためのコードと、ユーザ機器により、ブロック内に指標があることに応じて、特定の周波数の後の周波数においてセルを探索することを継続するためのコードとを含む、セルの探索を実施するためのコードを含む。
【００１５】
別の例示的な実施形態において、装置は、ワイヤレス通信システムにおいてセルの探索を実施するための手段であって、ユーザ機器により、ある周波数帯域において、同期信号を含むブロックを探索するための手段と、ユーザ機器により、ブロック内に同期信号を見つけることに応じて、ブロック内に残りのシステム情報が見つからない周波数範囲の指標があるかどうかを判断するための手段と、ユーザ機器により、ブロック内に指標があることに応じて、特定の周波数の後の周波数においてセルを探索することを継続するための手段とを含む、セルの探索を実施するための手段を備える。
【００１６】
例示的な実施形態において、ワイヤレス通信システムにおいてユーザ機器と通信することができるネットワーク要素により、ある周波数帯域で送信されるブロック内および１つまたは複数の後続のブロック内において残りのシステム情報が送信されないことを判断することを含む方法が開示される。本方法は、ブロックを送信することであって、ブロックが、同期信号を含み、セルを探索するためにユーザ機器のために使用され、送信されるブロックに対応する現在の周波数からの周波数範囲の指標をブロック内に含んでおり、残りのシステム情報が見つからない周波数帯域において、送信することを含む。
【００１７】
さらなる例示的な実施形態は、コンピュータプログラムであって、プロセッサ上で実行される時、前段落の方法を実施するためのコードを含むコンピュータプログラムを含む。コンピュータプログラムが、コンピュータで使用するための、コンピュータプログラムコードを具体化して有するコンピュータ可読媒体を含むコンピュータプログラム製品である、本段落に記載のコンピュータプログラム。別の例は、プログラムがコンピュータの内部メモリに直接ロード可能である、本段落に記載のコンピュータプログラムである。
【００１８】
例示的な装置は、１つまたは複数のプロセッサと、コンピュータプログラムコードを含む１つまたは複数のメモリとを含む。１つまたは複数のメモリおよびコンピュータプログラムコードは、１つまたは複数のプロセッサにより、装置に、少なくとも、ワイヤレス通信システムにおいてユーザ機器と通信することができるネットワーク要素により、ある周波数帯域で送信されるブロック内および１つまたは複数の後続のブロック内において残りのシステム情報が送信されないことを判断することと、ブロックを送信することであって、ブロックが同期信号を含み、セルを探索するためにユーザ機器のために使用され、送信されるブロックに対応する現在の周波数からの周波数範囲の指標をブロック内に含んでおり、残りのシステム情報が見つからない周波数帯域において、送信することとを実施させるように構成される。
【００１９】
例示的なコンピュータプログラム製品は、コンピュータで使用するための、コンピュータプログラムコードを具体化して有するコンピュータ可読記憶媒体を含む。コンピュータプログラムコードは、ワイヤレス通信システムにおいてユーザ機器と通信することができるネットワーク要素により、ある周波数帯域で送信されるブロック内および１つまたは複数の後続のブロック内において残りのシステム情報が送信されないことを判断するためのコードと、ブロックを送信するためのコードであって、ブロックが同期信号を含み、セルを探索するためにユーザ機器のために使用され、送信されるブロックに対応する現在の周波数からの周波数範囲の指標をブロック内に含んでおり、残りのシステム情報が見つからない周波数帯域において、送信するためのコードとを含む。
【００２０】
別の例示的な実施形態において、装置は、ワイヤレス通信システムにおいてユーザ機器と通信することができるネットワーク要素により、ある周波数帯域で送信されるブロック内および１つまたは複数の後続のブロック内において残りのシステム情報が送信されないことを判断するための手段と、ブロックを送信するための手段であって、ブロックが同期信号を含み、セルを探索するためにユーザ機器のために使用され、送信されるブロックに対応する現在の周波数からの周波数範囲の指標をブロック内に含んでおり、残りのシステム情報が見つからない周波数帯域において、送信するための手段とを備える。
【００２１】
前述された装置を備える通信システムがさらに開示され、以下でより詳細に説明される。
【図面の簡単な説明】
【００２２】
【図１】例示的な実施形態が実践され得る、１つの可能で非限定的な例示的なシステムのブロック図である。
【図２】ＳＳＢを含む周波数帯域および本明細書における例示的な実施形態にしたがって実施される動作の図である。
【図３】ＵＥによって実施される高度化セル探索（enhanced cell search）についての論理フロー図であり、例示的な実施形態による、例示の方法の動作、コンピュータ可読メモリに具体化されるコンピュータプログラム命令の実行の結果、ハードウェアに実装されるロジックによって実施される機能、および／または機能を実施するための相互接続される手段を図示する論理フロー図である。
【図４】ｇＮＢなどのネットワーク要素によって実施される高度化セル探索についての論理フロー図であり、例示的な実施形態による、例示の方法の動作、コンピュータ可読メモリに具体化されるコンピュータプログラム命令の実行の結果、ハードウェアに実装されるロジックによって実施される機能、および／または機能を実施するための相互接続される手段を図示する論理フロー図である。
【図５】ＳＳラスタエントリおよびそれらの対応する周波数範囲の表である。
【図６】様々なＳＳラスタステップサイズについての範囲を示す表である。
【図７】周波数範囲ごとのＮＲについてのチャネルラスタを示す表である。
【図８】初期ＣＦＯおよび隣接するＳＳラスタエントリ同士の周波数差を示す表である。
【図９】ＳＳ−サブキャリア−オフセット、エントリのクラスタ内のＳＳラスタエントリ、オンまたはオフＳＳラスタＳＳ／ＰＢＣＨブロック、および６ＧＨｚを下回るＲＭＳＩ存在指標についてのＮＲ−ＰＢＣＨ内の７ビットのシグナリングを示す表である。
【図１０】ＳＳ−サブキャリア−オフセット、オンまたはオフＳＳラスタＳＳ／ＰＢＣＨブロック、および６ＧＨｚを上回るＲＭＳＩ存在指標についての内の４ビットのシグナリングを示す表である。
【発明を実施するための形態】
【００２３】
「例示的な」という用語は「例、事例、または例示として機能すること」を意味するために本明細書において使用される。本明細書において「例示的」として説明されるあらゆる実施形態は、必ずしも他の実施形態よりも好ましい、または有利であるとして解釈されるべきではない。この「発明を実施するための形態」において説明される実施形態のすべては、当業者が本発明を作成または使用できるようにするために提供される例示的な実施形態であり、特許請求の範囲によって定義される本発明の範囲を限定するものではない。
【００２４】
本明細書における例示的な実施形態は、高度化セル探索のための技法を説明する。これらの技法のさらなる説明は、例示的な実施形態を使用し得るシステムを説明した後に提示する。
【００２５】
図１を見ると、この図は例示的な実施形態が実践され得る、１つの可能で非限定的な例示的なシステムのブロック図を示している。図１では、ユーザ機器（ＵＥ）１１０は、ワイヤレスネットワーク１００とワイヤレス通信をしている。ＵＥは、ワイヤレスネットワークにアクセスすることができる、ワイヤレスの、典型的にはモバイルデバイスである。ＵＥ１１０は、１つまたは複数のプロセッサ１２０、１つまたは複数のメモリ１２５、および１つまたは複数のバス１２７を通じて相互接続される１つまたは複数の送受信機１３０を含む。１つまたは複数の送受信機１３０のそれぞれは、受信機Ｒｘ１３２、および送信機Ｔｘ１３３を含む。１つまたは複数のバス１２７は、アドレス、データ、または制御バスである場合があり、マザーボードもしくは集積回路上の一連のライン、光ファイバ、または他の光学通信機器などのあらゆる相互接続メカニズムを含むことができる。１つまたは複数の送受信機１３０は、１つまたは複数のアンテナ１２８に接続される。１つまたは複数のメモリ１２５には、コンピュータプログラムコード１２３が含まれる。ＵＥ１１０は、部分１４０−１および／もしくは１４０−２のうちの１つ、またはその両方を備えるセル探索モジュール１４０を含み、様々な方法で実装することができる。セル探索モジュール１４０は、１つまたは複数のプロセッサ１２０の一部として実装されるなど、セル探索モジュール１４０−１としてハードウェアに実装することができる。セル探索モジュール１４０−１は、集積回路として、またはプログラマブルゲートアレイなどの他のハードウェアを通じて実装することもできる。別の例では、セル探索モジュール１４０は、セル探索モジュール１４０−２として実装することができ、コンピュータプログラムコード１２３として実装され、１つまたは複数のプロセッサ１２０によって実行される。例えば、１つまたは複数のメモリ１２５、およびコンピュータプログラムコード１２３は、１つまたは複数のプロセッサ１２０により、ユーザ機器１１０に本明細書において説明されるような動作の１つまたは複数を実施させるように構成することができる。
【００２６】
この例では、ＵＥ１１０はワイヤレスリンク１１１−１を介してｇＮＢ１７０と通信する。主に、以下で説明されるｇＮＢは、単一のｇＮＢ１７０であると仮定する。しかしながら、以下で説明される図２は、例えばｇＮＢ１７０を有する契約先事業者、および例えばｇＮＢ１９１を有する隣接事業者を使用する。ＵＥ１１０は、リンク１１１−２を介して隣接ｇＮＢ１９１とも通信することができる。ｇＮＢ１７０と１９１との両方が例示的な実施形態を実装することが可能であるが、必須ではない。本明細書においてｇＮＢ１７０と１９１との両方が例示的な実施形態を実装する場合、ｇＮＢ１７０の説明はやはりｇＮＢ１９１にも当てはまる。
【００２７】
ｇＮＢ（エボルブドＮｏｄｅＢ）１７０は、ＵＥ１１０などのワイヤレスデバイスによるワイヤレスネットワーク１００へのアクセスを提供する基地局（例えばＮＲ／５Ｇ用）である。ｇＮＢ１７０は、１つまたは複数のプロセッサ１５２、１つまたは複数のメモリ１５５、１つまたは複数のネットワークインターフェース（Ｎ／Ｗ  Ｉ／Ｆ）１６１、および１つまたは複数のバス１５７を通じて相互接続される１つまたは複数の送受信機１６０を含む。１つまたは複数の送受信機１６０のそれぞれは、受信機Ｒｘ１６２、および送信機Ｔｘ１６３を含む。１つまたは複数の送受信機１６０は、１つまたは複数のアンテナ１５８に接続される。１つまたは複数のメモリ１５５には、コンピュータプログラムコード１５３が含まれる。ｇＮＢ１７０は、部分１５０−１および／もしくは１５０−２のうちの１つ、またはその両方を備えるセル探索モジュール１５０を含み、様々な方法で実装することができる。セル探索モジュール１５０は、１つまたは複数のプロセッサ１５２の一部として実装されるなど、セル探索モジュール１５０−１としてハードウェアに実装することができる。セル探索モジュール１５０−１は、集積回路として、またはプログラマブルゲートアレイなどの他のハードウェアを通じて実装することもできる。別の例では、セル探索モジュール１５０は、セル探索モジュール１５０−２として実装することができ、コンピュータプログラムコード１５３として実装され、１つまたは複数のプロセッサ１５２によって実行される。例えば、１つまたは複数のメモリ１５５、およびコンピュータプログラムコード１５３は、１つまたは複数のプロセッサ１５２により、ｇＮＢ１７０に本明細書において説明されるような動作の１つまたは複数を実施させるように構成される。１つまたは複数のネットワークインターフェース１６１は、リンク１７６および１３１を介するなどしてネットワーク上で通信する。２つ以上のｇＮＢ１７０が、例えばリンク１７６を使用して通信する。リンク１７６は、ワイヤードもしくはワイヤレスまたはその両方であることができ、例えばＸ２インターフェースを実装することができる。
【００２８】
１つまたは複数のバス１５７は、アドレス、データ、または制御バスである場合があり、マザーボードもしくは集積回路上の一連のライン、光ファイバ、または他の光学通信機器、ワイヤレスチャネルなどのあらゆる相互接続メカニズムを含むことができる。例えば、１つまたは複数の送受信機１６０は、ｇＮＢ１７０の他の要素がＲＲＨとは物理的に異なる場所にある状態で、リモート無線ヘッド（ＲＲＨ）１９５として実装することができ、１つまたは複数のバス１５７は、ｇＮＢ１７０の他の要素をＲＲＨ１９５に接続するための光ファイバケーブルとして一部実装することができる。
【００２９】
本明細書における説明は、「セル」が機能を実施することを指すが、セルを形成するｅＮＢが機能を実施することが明らかであることに留意されたい。セルは、ｅＮＢの一部を構成する。すなわち、ｇＮＢ１つ当たりに複数のセルが存在することができる。例えば、単一のｅＮＢキャリア周波数および関連付けられる帯域幅について３つのセルがあってもよく、単一のｇＮＢのカバレッジエリアがおおよそ楕円または円形をカバーするよう、それぞれのセルが３６０度のエリアの３分の１をカバーしている。さらには、それぞれのセルは単一のキャリアに対応することができ、ｇＮＢは複数のキャリアを使用することができる。そのため、１つのキャリアごとの３つの１２０度のセル、かつ２つのキャリアが存在し、ｅＮＢは合計６つのセルを有する。
【００３０】
ワイヤレスネットワーク１００は、ＭＭＥ（Ｍｏｂｉｌｉｔｙ  Ｍａｎａｇｅｍｅｎｔ  Ｅｎｔｉｔｙ）／ＳＧＷ（Ｓｅｒｖｉｎｇ  Ｇａｔｅｗａｙ）機能性を含むことができるネットワーク制御要素（ＮＣＥ）１９０を含む場合があり、電話網および／またはデータ通信ネットワーク（例えば、インターネット）などのさらなるネットワークとの接続性を与える。ｇＮＢ１７０は、リンク１３１を介してＮＣＥ１９０に連結される。リンク１３１は、例えば、Ｓ１インターフェースとして実装することができる。ＮＣＥ１９０は、１つまたは複数のプロセッサ１７５、１つまたは複数のメモリ１７１、１つまたは複数のネットワークインターフェース（Ｎ／Ｗ  Ｉ／Ｆ）１８０を含み、１つまたは複数のバス１８５を通じて相互接続される。１つまたは複数のメモリ１７１には、コンピュータプログラムコード１７３が含まれる。１つまたは複数のメモリ１７１、およびコンピュータプログラムコード１７３は、１つまたは複数のプロセッサ１７５により、ＮＣＥ１９０に１つまたは複数の動作を実施させるように構成される。
【００３１】
ワイヤレスネットワーク１００は、ネットワーク仮想化を実装することができ、これはハードウェアとソフトウェアのネットワークリソースおよびネットワーク機能性を単一のソフトウェアベースの管理エンティティ、仮想ネットワークに結合するプロセスである。ネットワークの仮想化には、プラットフォームの仮想化を伴い、しばしばリソースの仮想化が組み合わされる。ネットワークの仮想化は、多くのネットワークもしくはネットワークの一部を１つの仮想ユニットに組み合わせる外部的なもの、または単一のシステム上でソフトウェアコンテナにネットワークに類似する機能性を持たせる内部的なもの、のいずれかとして分類される。ネットワークの仮想化により得られる仮想化されるエンティティは、プロセッサ１５２または１７５、ならびにメモリ１５５および１７１、などのハードウェアを使用してさらにいくつかのレベルで実装され、またそのように仮想化されたエンティティは技術的な効果を作り出す。
【００３２】
コンピュータ可読メモリ１２５、１５５、および１７１は、ローカルの技術的環境に適切なあらゆるタイプのものであってよく、半導体ベースのメモリデバイス、フラッシュメモリ、磁気メモリデバイスおよびシステム、光学メモリデバイスおよびシステム、固定メモリおよび着脱可能メモリなどのあらゆる適切なデータ記憶技術を使用して実装され得る。コンピュータ可読メモリ１２５、１５５および１７１は、記憶機能を実施するための手段であり得る。プロセッサ１２０、１５２、および１７５は、ローカルの技術的環境に適切なあらゆるタイプのものであってよく、非限定的な例として汎用コンピュータ、特殊目的コンピュータ、マイクロプロセッサ、デジタル信号プロセッサ（ＤＳＰ）、およびプロセッサベースのマルチコアプロセッサアーキテクチャのうち、１つまたは複数を含むことができる。プロセッサ１２０、１５２、および１７５は、本明細書において説明されるようなＵＥ１１０、ｇＮＢ１７０、および他の機能を制御することなどの、機能を実施するための手段である場合がある。
【００３３】
一般に、ユーザ機器１１０の様々な実施形態は、スマートフォンなどの携帯電話、タブレット、ワイヤレス通信機能を有する携帯情報端末（ＰＤＡ）、ワイヤレス通信機能を有するポータブルコンピュータ、ワイヤレス通信機能を有するデジタルカメラなどの撮像デバイス、ワイヤレス通信機能を有するゲーミングデバイス、ワイヤレス通信機能を有する音楽記憶再生家電、ワイヤレスでインターネットのアクセスおよび閲覧が可能なインターネット家電、ワイヤレス通信機能を有するタブレット、ならびにそのような機能の組み合わせを組み込むポータブル装置または端末、を含むことができるがそれに限定されない。
【００３４】
本発明の例示的な実施形態の実践のための、１つの適切であるが非限定的な技術的コンテキストを紹介してきたが、次にさらなる具体性をもって例示的な実施形態を説明する。
【００３５】
本明細書における例示的な実施形態は、３ＧＰＰのＮｅｗ  Ｒａｄｉｏ（ＮＲ）物理層設計に関する。特に、ＵＥのアイドルモード動作およびＮＲにおける初期セル探索の高度化に着目する。
【００３６】
背景として、ある無線周波数帯域において、その帯域における特定の事業者用にセカンダリのキャリアのみが存在するデプロイメント、すなわち初期アクセスのための機能性は提供しないが同期および（セカンダリ）セル検出のためのＳＳＢを送信するデプロイメントが存在する場合がある。したがって、そのキャリアではＳＳＢまたはさらには複数のＳＳＢ周波数の位置は存在するが、関連付けられるＲＭＳＩがない場合がある。これらのＳＳＢのすべてにおいて、ＰＢＣＨはＵＥに対して関連付けられるＲＭＳＩがないことを示し、またＰＢＣＨは、関連付けられているＳＳＢが存在するであろうキャリア内ではＵＥをいかなるＳＳＢ周波数位置に向けることもできない。したがって、ＵＥ１１０がそのようなキャリアで初期セル探索を開始する時、そのＵＥ１１０はすべての同期ラスタポジションを通り、それぞれ検出されたＳＳＢについての関連付けられるＲＭＳＩを見つけられず、キャリアを通り抜けた後、ＵＥ１１０は（例えば、別のキャリアに）周波数を変えることになる。これは、ＵＥにとって時間とエネルギーを消費する動作である。
【００３７】
３ＧＰＰにおいて現状を強調するために、RAN1#91において以下の合意が成された（「Draft Report of 3GPP TSG RAN WG1 #91 v0.2.0」を参照することができ、現在はR1-1801301, Report of RAN1#91 meeting, ETSIと題されており、RAN1 #92において承認された）：
【００３８】
同期ラスタ上のＳＳＢについて、関連付けられるＲＭＳＩがないという指標は、ＳＳＢ−サブキャリア−オフセット内の予約値を使用して行われる。ＲＭＳＩが存在しない場合、ＲＭＳＩ−ＰＤＣＣＨ−Ｃｏｎｆｉｇを使用して、ＵＥがセル規定ＳＳＢを探索するべき次の同期ラスタをシグナリングする。
【００３９】
Ｑｕａｌｃｏｍｍによる「WF on RMSI presence flag」と題されるR1-1721684からの「Draft Report of 3GPP TSG RAN WG1 #91 v0.2.0」の６４頁によると：ＲＭＳＩの存在は、ＳＳＢ−サブキャリア−オフセット内の予約値によって示される。ＲＭＳＩが存在しない場合、ＲＭＳＩ−ＰＤＣＣＨ−Ｃｏｎｆｉｇを使用して、ＵＥがセル規定ＳＳＢを探索するべき次の同期ラスタをシグナリングする。これは次のR1-1801301、Report of RAN1#91 meeting, ETSIの６５頁にあり、RAN1 #92において承認された。
【００４０】
「セル規定ＳＳＢ」の、ある可能な規定とは、このＳＳＢがＲＭＳＩについてのキャリア情報を含む（例えば、示す）ことであることに留意されたい。
【００４１】
これは、ＰＲＢグリッドに関してＳＳＢが配置されているサブキャリアレベルシフト｛０，…，１１｝をＵＥに示すために使用されるパラメータフィールドが、関連付けられるＲＭＳＩがあるかどうかを示すために使用することができることを意味している。この範囲は、６Ｇｈｚ超では｛０，…，１１｝であるが、ＲＭＳＩ数値計算が３０ｋＨｚであるケースについて、サブ６ＧＨｚ帯域では｛０，…，２３｝であることに留意されたい。ＲＭＳＩが存在しない場合、ＣＯＲＥＳＥＴ設定ビット（すなわち、８ビット）を使用して、ＵＥが次のセル規定ＳＳＢを探索するべき場所をＵＥにシグナリングする。この指標は、ＳＳラスタステップの関数として所与のＳＳＢまでの相対オフセットとして、相対的な手法でセル規定ＳＳＢの場所を示して行われ得る。代替的に、指標は、セル規定ＳＳＢの正確な位置を決定するためにビットおよび所定の帯域固有オフセットを併せて使用して、直接的な指標として行われ得る。少なくとも以下の問題が特定される。
【００４２】
第１に、初期探索およびアクセスを実施しているアイドルモードのＵＥが、ＳＳＢに関連付けられるＲＭＳＩを有するＳＳＢを探している。次に、ＵＥは示された次のラスタポイントを移動するだけであり、やはりそこでも（次のラスタポイントにおいて）ＲＭＳＩが存在しない状況である場合がある。
【００４３】
第２に、周波数における範囲は、サブキャリアレベル粒度が指標に使用されると仮定されるために、次の周波数位置を示すために８ビットに限定されている。
【００４４】
第２の問題に関して、８ビットは２５６の様々な状態を与えることができ、すなわち、８ビットを使用して２５６のＳＳＢエントリポジションをポイントすることができる。帯域に２５６より多いエントリポジションがある場合、８ビットでは十分ではない。そこで、２つの選択肢がある：
【００４５】
１）ＰＢＣＨ内のＳＳＢ−サブキャリア−オフセットのパラメータは、ＲＭＳＩがないことを示す可能性があり、ＲＭＳＩ−ＰＤＣＣＨ−Ｃｏｎｆｉｇが、セル規定ＳＳＢ（およびＲＭＳＩ）を見つける帯域内の最初の２５６エントリの中から１つのエントリをポイントすることになるか、またはＳＳＢ−サブキャリア−オフセットのパラメータは、ＲＭＳＩがないことを示す可能性があり、ＲＭＳＩ−ＰＤＣＣＨ−Ｃｏｎｆｉｇが、ＳＳＢ＋ＲＭＳＩなどを見つける次の２５６（エントリ２５７〜５１２）エントリの中から１つのエントリをポイントすることになる。
【００４６】
２）ＳＳＢ−サブキャリア−オフセットのパラメータは、ＲＭＳＩが存在しないことを示し、ＲＭＳＩ−ＰＤＣＣＨ−ＣｏｎｆｉｇがＲＭＳＩを含むＳＳＢがない周波数範囲を示す。
【００４７】
この考慮される問題は、以下のように述べることもできる。所与の事業者用の特定のキャリア／帯域では、有効なＲＭＳＩ情報を搬送するＳＳ／ＰＢＣＨブロックが必ずしも存在する必要はなく、例えばオフラスタＳＳ／ＰＢＣＨブロックのみが存在することが可能である。したがって、これをＵＥに知らせるために特定のインデックスを予約する必要性がある。当然ながら、ＵＥはこの段階では必ずしも検出されたＳＳ／ＰＢＣＨブロックがどのＰＬＭＮに属するかを認識しておらず、したがって、例えば他の事業者によって所与の帯域に有効なＲＭＳＩを含むＳＳ／ＰＢＣＨブロックが１つもないと結論付けることができない。したがって、この場合、ＵＥはさらなるＳＳ／ＢＰＣＨブロックの探索を必ずしも停止するべきではない。もちろん、ＣＯＲＥＳＥＴ情報は、ＵＥが有効なＲＭＳＩ情報を含むＳＳ／ＰＢＣＨブロックを見つけることを期待すべきではない範囲を示すために再利用され、初期セル選択においてＵＥがこれらをスキップできるようにすると考えられる。換言すると、少なくともＵＥが初期アクセスに必要なＲＭＳＩを含むＳＳＢを見つけることができない周波数範囲を知るために、ＵＥが初期探索を実施することが有益であり得る。
【００４８】
これらの問題に対処するために、本明細書では、示された周波数範囲内に関連付けられるＲＭＳＩを見つけることができるか（または見つけることができないか）どうかを、ＳＳＢがＵＥにシグナリングすることが提案される。
【００４９】
ＲＭＳＩ  ＣＯＲＥＳＥＴ設定を使用して、有効なＲＭＳＩを含むＳＳＢを周波数範囲内（例えば、周波数範囲Ｘ内）で検出されたＳＳＢから見つけることができる場合、ＳＳＢは周波数位置をシグナリングする。対照的に、ＲＭＳＩが周波数範囲（例えば、周波数範囲Ｘ）内で検出されたＳＳＢから見つけられないか、またはＲＭＳＩが存在するか（例えば、所与の事業者に）分からない（本明細書においてカバーされる）事例に関して、ＳＳＢは周波数範囲Ｘの後までＲＭＳＩが見つけられないことをシグナリングする。これは、周波数においてどの方向かを示すことによって、または双方向における最小範囲を示すことによって、さらに高度化され得る。双方向における最小範囲に関して、これは周波数範囲ＸがＸを高い周波数にし、またＸを低い周波数にすることを意味することがある。ＳＳＢについて現在の周波数などのどこかから開始して、ＵＥが最も低い周波数から進み１方向のみ探索する可能性もある。しかしながら、これはＵＥの実装次第であるため、ＳＳＢが事業者のＲＭＳＩを含むＳＳＢが存在しない双方向への周波数範囲を示し得る場合もあり得る。
【００５０】
図２を見ると、この図はＳＳＢ２１０、２２０を含む周波数帯域（ＦＢ）および本明細書における例示的な実施形態にしたがって実施される動作の図である。示されているのは契約事業者の第１のキャリア２３０−１であり、周波数帯域ＦＢ１を有している。第２のキャリア２３０−２が示されており、これは隣接事業者のキャリア２３０であり、周波数帯域ＦＢ２を有している。関連付けられるＲＭＳＩを含まない５つのＳＳＢが存在する：２１０−１、２１０−２、２１０−３、２１０−４および２１０−５。初めの３つのＳＳＢ（２１０−１〜２１０−３）は、周波数帯域ＦＢ１にあり、後ろ２つのＳＳＢ（２１０−４および２１０−５）は、周波数帯域ＦＢ２にある。関連付けられるＲＭＳＩを含む１つのＳＳＢ２２０−１があり、これは第２のキャリア２３０−２の周波数帯域ＦＢ２内にある。
【００５１】
可能な実施形態の一例は以下を含む：
【００５２】
１．ＵＥはＳＳＢ２１０−２を検出し、これはＸＭＨｚ（ＭＨｚは例である）内に関連付けられるＲＭＳＩを含むＳＳＢ２２０がないことを示している。
【００５３】
２．ＵＥは、示されたＸＭＨｚの後、指標を与えているＳＳＢ２１０−２に対応するＸＭＨｚが検出された周波数（例えば、「現在の」周波数）ｆからＳＳＢ２１０／２２０を探索し続ける。
【００５４】
周波数範囲Ｘの後に起こるセル探索の間、現在の周波数ｆを基準に、ＵＥ１１０は関連付けられるＲＭＳＩを含むＳＳＢ２２０−１を見つけ、例えば隣接セルについての情報を決定するべきである。
【００５５】
図２の例では、契約先事業者は、周波数範囲Ｘが、事業者が帯域内に有する（例えば、ＦＢ１の周波数範囲を有する）キャリアの（例えば、残りの）範囲をカバーするように周波数範囲Ｘを設定する可能性が高い場合があると仮定する。基本的に、ＵＥはその後、周波数範囲Ｘにおいて、検出されたＳＳＢからの周波数を、スキップすることができる。契約先事業者は、他の（隣接）事業者のキャリア内のＳＳＢを認識しない可能性が高いが、これは排除されるものではない。
【００５６】
図３および図４に関して、さらなる例を以下に提示する。
【００５７】
図３は、ＵＥによって実施される高度化セル探索についての論理フロー図である。この図は、例示的な実施形態による、例示の方法の動作、コンピュータ可読メモリに具体化されるコンピュータプログラム命令の実行の結果、ハードウェアに実装されるロジックによって実施される機能、および／または機能を実施するための相互接続される手段、をさらに図示している。例えば、セル探索モジュール１４０は、図３におけるブロックのうち複数のブロックを含むことがあり、それぞれ含まれるブロックはブロック内の機能を実施するための相互接続される手段である。図３におけるブロックは、例えば少なくとも一部セル探索モジュール１４０の制御下で、ＵＥ１１０によって実施されると仮定する。
【００５８】
ワイヤレス通信システムにおいてセル探索を実施するためのプロセス３００の一部としての、可能なＵＥ側動作の一例は、以下の通りである。ブロック３１０では、ＵＥは特定の周波数帯域にスイッチする。ブロック３２０において、ＵＥは初期探索およびアクセスのためのセル規定ＳＳＢ２１０／２２０の探索を開始する。
【００５９】
ブロック３３０において、ＰＢＣＨ内にＳＳＢ２１０／２２０が検出されるかどうか判断される。検出されない場合（ブロック３３０＝いいえ）、フローはブロック３２０に戻る。検出される場合（ブロック３３０＝はい）、ＵＥはＳＳＢを検出するとＲＭＳＩについての指標を読み出す。ブロック３４０参照。ブロック３５０において、ＵＥはＳＳＢ内にＲＭＳＩがあるかどうか判断する。ＲＭＳＩがある場合（ブロック３５０＝はい）、ＵＥはブロック３６０においてＲＭＳＩを処理して、フローは終了する。この処理では、ＵＥは例えばランダムアクセス手順についてのパラメータを取得し、そこから初期アクセスを継続できると仮定する。やはり、ＵＥ１１０は測定用に必要とされるＲＭＳＩからグローバルなセルＩＤ（識別情報）を取得する可能性が高くなるため、ＵＥがＲＭＳＩを見つけるのに応じてフローは終了する。
【００６０】
ＵＥがＳＳＢ（ＰＢＣＨ）からＲＭＳＩ（ブロック３５０＝いいえ）がないことを判断する場合、ＵＥは、次いでブロック３７０においてＳＳＢ（ＰＢＣＨ）２１０／２２０が次のセル規定ＳＳＢがある位置を示すか、または検出されたＳＳＢ（例えば、関連付けられるＲＭＳＩがないところ）からの周波数範囲Ｘを示すか、を判断する。ブロック３８０において、位置が示される場合（ブロック３８０＝場所）、フローはブロック３２０に進みＵＥ１１０はセル規定ＳＳＢの探索を継続する（例えば、示された位置から開始する）。ブロック３８０において、周波数範囲（例えば、図２のＸ）が示される場合（ブロック３８０＝ＦＲ）、ＵＥは周波数範囲Ｘ内で、検出されたＳＳＢ（例えば、図２の現在の周波数ｆにおいて）からの周波数をスキップし、そこからの探索を継続する。ブロック３９０参照。ブロック３９０の結論は、例えばＵＥ１１０が隣接事業者のキャリア２３０−２の周波数帯域ＦＢ２などの別の周波数帯域を選択することができるように（図２参照）、ブロック３１０に戻る場合があることに留意されたい。ルーティングについてより詳細には、ＵＥが帯域内で有効なＳＳラスタ位置で終わる場合、ＵＥは周波数帯域を変更する（例えばブロック３９０から３１０に戻る）か、そうでなければＵＥは帯域を変更しない。すなわち、ある事業者は２００ＭＨｚ帯域の１０ＭＨｚを有することができる一方で、同一帯域の一部を有する他の事業者はＲＭＳＩを含むＳＳＢを有する可能性がある。そしてこの段階で、ＵＥは、例えばＰＬＭＮ情報が後から来るなどのため、ヒアリングしているのがどの事業者か分からない（または、知るための仮定ができない）。
【００６１】
プロセス３００の結果が、ＵＥが留まって初期アクセスを実施することができる少なくとも１つのセルを、ＵＥが見つけたことであることに留意されたい。このコンテキストにおいて、初期アクセスとは、ランダムアクセス手順、ｇＮＢとの同期、およびアクティブな接続を取得すること、を意味する。
【００６２】
図４は、ネットワーク要素（例えばｇＮＢ１７０）によって実施される高度化セル探索についての論理フロー図である。この図は、例示的な実施形態による、例示の方法の動作、コンピュータ可読メモリに具体化されるコンピュータプログラム命令の実行の結果、ハードウェアに実装されるロジックによって実施される機能、および／または機能を実施するための相互接続される手段、をさらに図示している。例えば、セル探索モジュール１５０は、図４におけるブロックのうち複数のブロックを含むことがあり、それぞれ含まれるブロックはブロック内の機能を実施するための相互接続される手段である。図４におけるブロックは、例えば少なくとも一部セル探索モジュール１５０の制御下で、ｇＮＢ１７０などの基地局によって実施されると仮定する。ネットワーク要素は、リレーノード、ＲＲＨ、または、さらには固定リレーのようないくつかの他のデバイスもしくは同期ノードとして機能する何らかのデバイスであってもよい。
【００６３】
以下は、ｇＮＢ／ネットワーク側動作の例である。簡潔には、関連付けられるＲＭＳＩを含まないＳＳＢについて、ネットワーク要素（例えばｇＮＢ／他のネットワークノード）は、次のセル規定ＳＳＢがどこにあるかを示すか、または関連付けられるＲＭＳＩがない検出されたＳＳＢからの周波数範囲Ｘを示すＳＳＢを送信する。周波数範囲Ｘの指標により、前述のように、ＵＥ１１０は（図２で図示されるように、現在のＳＳＢの現在の周波数範囲ｆから）周波数範囲Ｘ上の探索をスキップすると分かる。
【００６４】
プロセス４００は、高度化セル探索のためのプロセスである。ブロック４１０において、ｇＮＢ１７０は、関連付けられる残りのシステム情報（ＲＭＳＩ）を含まずに、ある周波数帯域上で送信される現在のブロックについて、その周波数帯域上で送信される１つまたは複数の後続のブロック内でＲＭＳＩが送信されないかどうか判断する。１つまたは複数の後続のブロックは、現在のブロックの後のブロックである。現在の、および後続のブロックは、例えばブロックのバーストセットに属する場合がある。図２において、現在のブロックはＳＳＢ２１０−２であってもよく、この場合後続のブロックは２１０−３となる。
【００６５】
ブロック４３０において、これらのブロック（ブロック４２０＝ＲＭＳＩがブロックのうちの１つまたは複数にある）のうちの１つにＲＭＳＩが存在する場合、ｇＮＢ１７０は、現在のブロックの（関連付けられるＲＭＳＩを含まない）ＳＳＢを送信し、ここでＳＳＢは次のセル規定ＳＳＢがある（例えば、対応する後続のブロックの）位置を示す。ブロック４４０において、これらのブロック（ブロック４２０＝１つまたは複数のブロックにＲＭＳＩがない）のうちの１つにＲＭＳＩが存在しない場合、ｇＮＢ１７０は、現在のブロックの（関連付けられるＲＭＳＩを含まない）ＳＳＢを送信し、ここでＳＳＢは関連付けられるＲＭＳＩがない現在のＳＳＢからの周波数範囲Ｘを示す。
【００６６】
以下は、さらなる例示的な実施形態である。
【００６７】
例１．方法であって、ワイヤレス通信システムにおいてセルの探索を実施することを含み、ユーザ機器により、ある周波数帯域において、同期信号を含むブロックを探索することと、ユーザ機器により、ブロック内に同期信号を見つけることに応じて、ブロック内に残りのシステム情報が見つからない周波数範囲の指標があるかどうかを判断することと、ユーザ機器により、ブロック内に指標があることに応じて、そのブロックに対応する現在の周波数から、示された周波数範囲後の特定の周波数までの周波数における探索をスキップすることと、特定の周波数の後の周波数においてセルを探索することを継続することとを含む、方法。
【００６８】
例２．ブロックが、ブロックのバーストセットの一部である、例１に記載の方法。
【００６９】
例３．同期信号を含むブロックが、第１のキャリアの周波数範囲にあり、示される周波数範囲が、示される周波数範囲が現在の周波数から第１のキャリアの終了周波数までの第１のキャリアの残りの周波数範囲を包含するように規定され、探索を継続することが、第１のキャリアの残りの周波数範囲をスキップする、例１または例２に記載の方法。
【００７０】
例４．指標がさらに、周波数においてどの方向がスキップされるべきかを示し、その方向にスキップすることが実施される、例１〜例３のいずれかに記載の方法。
【００７１】
例５．指標がさらに、現在の周波数から双方向に最小周波数範囲を示し、現在の周波数からその最小周波数範囲上で双方向にスキップすることが実施される、例１〜例３のいずれかに記載の方法。
【００７２】
例６．実施されるセル探索の結果が、ユーザ機器が留まって初期アクセスを実施することができる少なくとも１つのセルを、ユーザ機器が見つけたことである、例１〜例５のいずれかに記載の方法。
【００７３】
例７．方法であって、ワイヤレス通信システムにおいてユーザ機器と通信することができるネットワーク要素により、ある周波数帯域で送信されるブロック内および１つまたは複数の後続のブロック内において残りのシステム情報が送信されないことを判断することと、ブロックを送信することであって、ブロックが同期信号を含み、セルを探索するためにユーザ機器のために使用され、送信されるブロックに対応する現在の周波数からの周波数範囲の指標をブロック内に含んでおり、残りのシステム情報が見つからない周波数帯域において、送信することとを含む、方法。
【００７４】
例８．ブロックが、１つまたは複数の後続のブロックをさらに含むブロックのバーストセットの一部である、例７に記載の方法。
【００７５】
例９．同期信号を含むブロックが、ネットワーク要素によって形成される第１のキャリアの周波数範囲にあり、示される周波数範囲が、示される周波数範囲が現在の周波数から第１のキャリアの終了周波数までの第１のキャリアの残りの周波数範囲を包含するように規定される、例７または例８に記載の方法。
【００７６】
例１０．指標がユーザ機器に、そのブロックについての現在の周波数から示される周波数範囲の後までの周波数がスキップされるべきであることを示し、指標は周波数においてスキップされるべき方向をさらに示す、例７〜例９のいずれかに記載の方法。
【００７７】
例１１．指標がユーザ機器に、そのブロックについての現在の周波数から示される周波数範囲の後までの周波数がスキップされるべきであることを示し、指標は現在の周波数から双方向に最小周波数範囲をさらに示し、現在の周波数からその最小周波数範囲上で双方向にスキップすることが実施される、例７〜例９のいずれかに記載の方法。
【００７８】
例１２．装置であって、少なくとも１つのプロセッサと、コンピュータプログラムコードを含む、少なくとも１つのメモリとを備え、少なくとも１つのメモリとおよびコンピュータプログラムコードは、少なくとも１つのプロセッサにより、装置に例１〜例１１のいずれかに記載の方法を実施させるように構成される、装置。
【００７９】
例１３．例１〜例１１のいずれかに記載の方法を実施するための手段を備える、装置。
【００８０】
例１４．コンピュータプログラム製品であって、コンピュータで使用するための、コンピュータプログラムコードを具体化して有するコンピュータ可読媒体を備え、コンピュータプログラムコードは例１〜例１１のいずれかに記載の方法を実施するためのコードを含む、コンピュータプログラム製品。
【００８１】
例１５．コンピュータプログラムであって、プロセッサ上で実行される時、例１〜例１１のいずれかに記載の方法を実施するためのコードを含む、コンピュータプログラム。
【００８２】
例１６．コンピュータプログラムが、コンピュータで使用するための、コンピュータプログラムコードを具体化して有するコンピュータ可読媒体を含むコンピュータプログラム製品である、例１５に記載のコンピュータプログラム。
【００８３】
有効なＲＭＳＩ位置の指標に関しては、RAN1#91後の電子メールでの議論において、以下の合意に達した：
【００８４】
合意：
【００８５】
・同期ラスタ上のＳＳＢについて、関連付けられるＲＭＳＩがないという指標は、ＳＳＢ−サブキャリア−オフセット内の予約値を使用して行われる。ＲＭＳＩが存在しない場合、ＲＭＳＩ−ＰＤＣＣＨ−Ｃｏｎｆｉｇを使用して、ＵＥがセル規定ＳＳＢを探索するべき次の同期ラスタをシグナリングする。
【００８６】
RAN4合意に基づいて、ＳＳラスタエントリは、図５に示されるようになる。
【００８７】
インデックスの数は、原理的には、ＳＳラスタポイントの観点から最大の帯域（〜２倍）をカバーするよう全範囲ステップをカバーすることが可能であるべきである。もちろん、インデックスの解釈は、正しい周波数位置が検出されるようにある程度周波数範囲固有である必要があり、そのため使用されるインデックスの範囲は、例えば異なる周波数範囲については異なっていることができる。RAN Plenary #78後のＮＲ帯域を考える場合、一定の帯域について、かなり多数のインデックスがカバーされる必要があると思われる。例えば、ｎ５０／５１、ｎ６６およびｎ７５のような帯域には、３００のインデックスが必要となる。この多数のインデックスは、２．６５ＧＨｚを下回るＳＳラスタ用のクラスタ化されたアプローチの結果である。ほとんどの場合、必要となるラスタポイントの合計最大数は、２００未満である。
【００８８】
２６５０ＭＨｚを下回るそれぞれ個々のクラスタポイントをポイントすることは、要求されるインデックス数を３倍にするため、クラスタだけがアドレスされるように必要とされるインデックスの数を削減することが考えられ、その時ＵＥは初期セル選択を行う際、可能な候補位置として、すべて３つの異なる位置を考慮する必要がある。これは、参照ポイントおよびＵＥの初期セル選択複雑性を低減させる観点から許容可能な妥協と思われる。
【００８９】
観察：必要とされるラスタポイントの数は、９００ＭＨｚクラスタステップおよび［−５：０：＋５］ｋＨｚラスタポイントを有する≦２６５０ＭＨｚのＳＳラスタにより決定される。クラスタのみがアドレスされる場合、数はＳＳラスタクラスタポイントを示すことによってのみ削減され得る。
【００９０】
提案：９００ＭＨｚクラスタステップおよび［−５：０：＋５］ｋＨｚラスタポイントを有するＳＳラスタを使用する帯域についてのＲＭＳＩを含むＳＳ／ＰＢＣＨの位置を通知する時、クラスタの位置のみが示され、ＵＥは初期セル選択において、候補として（クラスタの）すべて３つのラスタポイントを考慮する。
【００９１】
ＲＭＳＩ−ＰＤＣＣＨ−Ｃｏｎｆｉｇ（ＲＭＳＩ−ＰＤＣＣＨ−Ｃｏｎｆｉｇはｐｄｃｃｃｈ−ＣｏｎｆｉｇＳＩＢ１と同じであり、名称が仕様策定の間に変更されたことに留意されたい）において、ＳＳラスタエントリを示すために８ビットを使用することは、様々な手法で行うことが可能であり、その細部、ならびに使用されるビット数およびＳＳＢ−サブキャリア−オフセットに適用されるジョイント符号化およびＲＭＳＩ存在インジケータに依存するが、高次においては直接的な指標または相対的な指標のいずれかが使用される可能性がある。直接的な指標（または所定のオフセットで）の場合、正確なＳＳラスタ位置が所与の周波数帯域内に決定される。すなわち、ＲＭＳＩ−ＰＤＣＣＨ−Ｃｏｎｆｉｇの８ビットは、ＳＳラスタ用のＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ：絶対無線周波数チャネル番号）として解釈されることになる。このアプローチは、範囲が十分であると仮定して、最も単純である。他方の選択肢として、ビットがＳＳラスタステップの観点からオフセットとして解釈される相対的な指標は、必ずしもＳＳラスタ位置の全範囲をポイントすることができなくてもよいため、要求するビット数が少ない可能性がある。しかしながら、１ビットが、符号（±）すなわち相対的なステップの方向を示すために要求される。図６に示される表は、達成することができる範囲を要約している。現在の帯域がRAN4によって考えられていることを考慮すると、全８ビットが使用される場合、直接的な指標でほとんどの再フレーミング帯域をカバーすることができると思われる。６ＧＨｚを下回るＲｅｌ−１５として考えられる新しい帯域について、この場合９００ＭＨｚまでの帯域幅が考慮され、使用される範囲を拡張することができない限り、直接的な指標がすべての帯域に可能でない場合がある。もちろん（符号ビットの必要性も考慮して）同じことが相対的な指標についても当てはまるが、実際のデプロイメント（例えばＳＳ／ＰＢＣＨブロックの最小「密度」を仮定することにより）に、さらに限定される範囲で十分であると分かる場合に、相対的な指標を使用することができる。RAN4がＲｅｌ−１５について現在考えているミリ波帯域について、合計最大帯域幅は、３．２５ＧＨｚである。これらすべての帯域は１７．２８ＭＨｚのＳＳラスタを使用するため、これらの事例について、直接的な指標および相対的な指標（何らかの追加的なコードポイント（ｃｏｄｅ  ｐｏｉｎｔ）が符号指標として使用される場合、全て）の両方を考慮することができると思われる。
【００９２】
観察：現在考えている再フレーミング帯域について、ＲＭＳＩを含むＳＳ／ＰＢＣＨブロックの直接的な指標を使用することが、可能と思われる。
【００９３】
上述同様、図６の表に与えられる範囲は、さらなるビット（＜６ＧＨｚ帯域について）を使用することにより、および／または追加的なコードポイントＳＳＢ−サブキャリア−オフセット指標により、拡張することができるものである。しかしながら、３クラスタのＳＳラスタを使用する帯域についてのＳＳラスタクラスタ位置を示すためにさらなるエントリが必要とされる可能性があることに留意したほうが良い。加えて、さらに以下で述べるように、ＲＭＳＩを含むＳＳ／ＰＢＣＨが存在しない場合には指標を予約する必要性もある（所与の事業者によって）。したがって、拡張することができるビット数が限定される可能性がある。しかしながら、要求される指標の合計数を節約することになるため、直接的な指標の使用は好ましいと思われる。つまり、全範囲が双方向にカバーされる必要がある場合、さらなる指標がそれぞれの範囲拡張に必要となるか、またはオフセットの符号を示すために１ビットが必要となる。
【００９４】
提案：ＲＭＳＩを含むＳＳ／ＰＢＣＨの周波数位置を示すために直接的な指標を使用することが好ましいと思われる。
【００９５】
ひいては、それぞれの周波数帯域についてのＲＭＳＩ−ＰＤＣＣＨ−ＣｏｎｆｉｇのＧｌｏｂａｌ  Ｓｙｎｃｈｒｏｎｉｚａｔｉｏｎ  Ｃｈａｎｎｅｌ  Ｎｕｍｂｅｒ（ＧＳＣＮ：グローバル同期チャネル番号）に対する正確なマッピングを、単純に固定オフセット（例えば、ＲＦチャネル数が規定されるのと同様のビット）を規定することによりRAN4仕様（例えば３ＧＰＰ  ＴＳ  ３８．１０１）において決定することができる。
【００９６】
観察：それぞれの周波数帯域についてのＲＭＳＩ−ＰＤＣＣＨ−Ｃｏｎｆｉｇのグローバル同期チャネル番号（ＧＳＣＮ）に対する正確なマッピングが、RAN4仕様において決定することができる。
【００９７】
やはり生ずることであるが、有効なＲＳＭＩを含むＳＳ／ＰＢＣＨの実際の位置が知らされない場合がある。すなわち、一定の事例においては、所与の事業者はキャリアをＮＳＡキャリアとして考え、オフラスタＳＳ／ＰＢＣＨブロックを使用する場合がある。したがって、オフセット指標の解釈は、この事例では異なっていてもよい。指標は、例えばＵＥに、有効なＲＭＳＩを含むＳＳ／ＰＢＣＨブロックを見つけるよう期待する必要のない範囲を知らせるために使用される可能性がある。これは例えばＲＭＳＩ−ＰＤＣＣＨ−Ｃｏｎｆｉｇの８ビットが、低周波と高周波の周波数範囲に向けて相対的な手法でそれぞれ範囲を示す４ビットブロックに分割されるように行われる。範囲指標は、例えばＳＳラスタステップサイズにタイトであることができる。
【００９８】
観察：やはり（例えば、所与の事業者用に）有効なＲＭＳＩ情報を含むＳＳ／ＰＢＣＨがない場合、ＵＥに示す必要性がある。この場合、ＵＥが所与のキャリア上での初期セル選択手順を停止しないことが好ましい。
【００９９】
観察：ＲＭＳＩを含む次のＳＳ／ＰＢＣＨブロックの位置が分からない場合、ＲＭＳＩ−ＰＤＣＣＨ−Ｃｏｎｆｉｇの８ビットを使用して、ＵＥにＲＭＳＩを含むＳＳ／ＰＢＣＨが存在しないと分かっている範囲を示すことができる。
【０１００】
ＳＳ／ＰＢＣＨブロックのラスタ位置およびＲＭＳＩ存在に関し、RAN1#91合意に基づいて、ＳＳ／ＰＢＣＨブロックを同期ラスタ上にまたは同期ラスタからずらして配置することができる。
【０１０１】
合意：
【０１０２】
・測定のために、ＳＳＢ周波数位置（スタンドアロンのアクセスをサポートするサービングセルのセル規定ＳＳ／ＰＢＣＨブロックを除いて）は、同期ラスタ上に配置されてもよく、配置されなくてもよい。
【０１０３】
同期ラスタ上のブロックは、関連付けられるＲＭＳＩを有する「セル規定」ＳＳ／ＰＢＣＨブロックであることができるが、さらなるＳＳ／ＰＢＣＨブロックが同期ラスタからずれて配置されてもよく、例えば測定用に用いられる。これらのオフラスタＳＳ／ＰＢＣＨブロックは、有効なＲＭＳＩ情報を有していない。場合により、ＳＳ／ＰＢＣＨブロックの第３のクラスを検討することもでき、それによりこれらがＳＳラスタ上に存在できるが、有効なＲＭＳＩは包含しない。
【０１０４】
これらのＳＳ／ＰＢＣＨブロックに関連して、RAN1#91電子メール議論「[91-NR-04] RMSI presence indication」において、同期ラスタ上のＳＳ／ＰＢＣＨブロックについて、関連付けられるＲＭＳＩがないことの指標はＳＳＢ−サブキャリア−オフセット内の予約値を使用して行われ得ることが合意された。また、関連付けられるＲＭＳＩが存在しない場合、ＮＲ−ＰＢＣＨペイロードのＲＭＳＩ−ＰＤＣＣＨ−Ｃｏｎｆｉｇを使用して、ＵＥがセル規定ＳＳＢを探索するべき次の同期ラスタをシグナリングすることができる。
【０１０５】
合意：
【０１０６】
・同期ラスタ上のＳＳＢについて、関連付けられるＲＭＳＩがないという指標は、ＳＳＢ−サブキャリア−オフセット内の予約値を使用して行われる。ＲＭＳＩが存在しない場合、ＲＭＳＩ−ＰＤＣＣＨ−Ｃｏｎｆｉｇを使用して、ＵＥがセル規定ＳＳＢを探索するべき次の同期ラスタをシグナリングする。
【０１０７】
以下の、後続の説明において、チャネルおよびＳＳラスタに関連する最新のRAN4合意をさらに考慮して、上で言及した指標がどのように行われ得るかについて議論する。
【０１０８】
RAN4合意に基づいて、周波数範囲ごとのＮＲ用のチャネルラスタは、図７に示される表に図示されるようになり、ＳＳラスタエントリは図５に示されるようになる。ＵＥの初期セル探索を考慮して、また発振器のミスマッチに起因する±１０ｐｐｍの初期キャリア周波数誤差を仮定して、初期ＣＦＯおよび隣接するＳＳラスタエントリ同士の周波数の差異は図８に示すようになる。
【０１０９】
上の計算に基づいて、ＵＥは正確なキャリア周波数を決定することにおいて曖昧さを有する場合があるが、それは２６５０ＭＨｚキャリア周波数範囲を下回る場合ＵＥにおける３つのクラスタ内のＳＳラスタエントリ同士の周波数の差異が初期ＣＦＯ未満（すなわちＵＥの周波数誤差）であるからである。換言すると、ＵＥがＮＲ−ＰＳＳを検出する場合、ＵＥにおいてＮＲ−ＰＳＳがクラスタの３つのエントリ（すなわち、Ｍ＝｛−１，０，＋１｝）のうち、最も左、中央、または最も右のＳＳエントリのどこに配置されているか不確実性が存在し得る。
【０１１０】
観察：２６５０ＭＨｚを下回るキャリア周波数範囲において、ＵＥはＮＲ−ＰＳＳが配置される正確なキャリア周波数について不確実性を有する場合があるが、それはＳＳラスタエントリが、クラスタ内のエントリの周波数差がＵＥの初期ＣＦＯを下回っている可能性があるクラスタにおいて割り当てられていることに起因する。
【０１１１】
観察：２６５０ＭＨｚを下回る場合、ＵＥはＳＳエントリクラスタ内の３つのクラスタのうちどれがＮＲ−ＰＳＳがＮＲ−ＰＢＣＨ内の２つの利用可能な予約ビットを使用して送信されるかを示される必要がある可能性がある（６ＧＨｚを上回る場合、３つのビットのうち２つは、ＳＳブロック位置インデックスの３ＭＳＢ用に使用される）。
【０１１２】
上で議論したように、次の同期ラスタについての直接的な指標は、ＳＳラスタについてのＡＲＦＣＮとして実装されること、すなわちＲＭＳＩを含むＳＳ／ＰＢＣＨの位置を直接的に示すことが好ましい場合がある。例えば、４．５ＧＨｚにおいて６００ＭＨｚ帯域幅を有するＮＲ帯域ｎ７９（RAN4によるＲｅｌ−１５が考慮される）を考える。ＲＭＳＩ−ＰＤＣＣＨ−Ｃｏｎｆｉｇにおいて２５６状態が、〜３７０ＭＨｚ帯域幅内でＳＳラスタエントリをポイントすることができる（１．４４ＭＨｚラスタを仮定している）。６００ＭＨｚ帯域幅内でそれぞれのＳＳエントリをポイントできるようにするために、指標範囲を拡張すべきである。この帯域用に、ＳＳＢ−サブキャリア−オフセットパラメータは、ＲＭＳＩがないこと、およびＲＭＳＩ−ＰＤＣＣＨ−Ｃｏｎｆｉｇが次のセル規定ＳＳＢをポイントすること示すために予約される２つの状態を有する可能性がある。第１の状態は帯域内の最初の２５６エントリポイントを、第２の状態は帯域内の次の２５６エントリポイントを示すことができる。ｎ７７に対して同様の観察を行うことが可能であり、ここでは合計９００ＭＨｚ帯域幅がサポートされ、帯域の全範囲をカバーするために１つのさらなる範囲が必要とされる。
【０１１３】
提案：ＳＳＢ−サブキャリア−オフセットは、６ＧＨｚを下回る場合、ＲＭＳＩ−ＰＤＣＣＨ−Ｃｏｎｆｉｇが帯域内の最初の２５６ＳＳエントリか、帯域内の次のＳＳエントリ２５７〜５１２か、または帯域内の５１３〜７６８を示すかどうかを示すために３つの状態を有する。
【０１１４】
加えて、所与の事業者用の特定のキャリア／帯域では、有効なＲＭＳＩ情報を搬送するＳＳ／ＰＢＣＨブロックが必ずしも存在する必要はなく、例えばオフラスタＳＳ／ＰＢＣＨブロックのみが存在することが可能である。したがってこれをＵＥに知らせるために特定のインデックスを予約する必要性がある。当然ながら、この段階ではＵＥは必ずしも検出されたＳＳ／ＰＢＣＨブロックがどのＰＬＭＮに属するか認識しておらず、したがって、例えば他の事業者によって所与の帯域に有効なＲＭＳＩを含むＳＳ／ＰＢＣＨブロックが１つもないと結論付けることができない。したがって、このような場合、ＵＥはさらなるＳＳ／ＢＰＣＨブロックの探索を必ずしも停止するべきではない。もちろん、ＣＯＲＥＳＥＴ情報は、ＵＥが有効なＲＭＳＩ情報を含むＳＳ／ＰＢＣＨブロックを見つけることを期待すべきではない範囲を示すために再利用され、初期セル選択においてＵＥがこれらをスキップできるようにすると考えられる。換言すると、少なくともＵＥが初期アクセスに必要なＲＭＳＩを含むＳＳＢを見つけることができない周波数範囲を知るために、ＵＥが初期探索を実施することが有益であり得る。
【０１１５】
観察：やはり（例えば、所与の事業者用に）有効なＲＭＳＩ情報を含むＳＳ／ＰＢＣＨがない場合、ＵＥに示す必要性がある。この場合、ＵＥが所与のキャリア上での初期セル選択手順を停止しないことが好ましい。
【０１１６】
観察：ＵＥが初期アクセスに必要なＲＭＳＩを含むＳＳＢを見つけることができない周波数範囲を知るために、ＵＥが初期探索を実施することが有益と思われる。
【０１１７】
したがって、少なくとも２タイプの非ＲＭＳＩ指標シグナリングが必要となる。タイプ１：次のセル規定ＳＳ／ＰＢＣＨブロックが配置される、非ＲＭＳＩ指標＋情報。タイプ２：ＵＥがＲＭＳＩを含むＳＳ／ＰＢＣＨブロックを見つけられない、周波数範囲についての非ＲＭＳＩ指標＋情報。
【０１１８】
観察：少なくとも２タイプの非ＲＭＳＩ指標シグナリングが必要となる：
【０１１９】
タイプ１：次のセル規定ＳＳ／ＰＢＣＨブロックが配置される、非ＲＭＳＩ指標＋情報
【０１２０】
タイプ２：ＵＥがＲＭＳＩを含むＳＳ／ＰＢＣＨブロックを見つけられない、周波数範囲についての非ＲＭＳＩ指標＋情報
【０１２１】
提案：ＰＢＣＨは、ＲＭＳＩがないこと（ＳＳＢ−サブキャリア−オフセットフィールドを使用して）、およびＲＭＳＩを含むＳＳＢ（ＰＢＣＨ内のＲＭＳＩ−ＰＤＣＣＨ−Ｃｏｎｆｉｇが示す）がない周波数範囲の指標をサポートする。
【０１２２】
結果として、潜在的な必要性を考えると、３つのクラスタのＳＳラスタエントリのうちいずれかをシグナリングするため、ＳＳ／ＰＢＣＨブロックがラスタ内にあるかどうかをシグナリングするため、ＲＭＳＩが存在するかどうかをシグナリングするため、またＲＭＳＩが存在しない場合、どの周波数範囲にＲＭＳＩが存在しないかをシグナリングするため、図９で示される表に提示されるようにＮＲ−ＰＢＣＨにおいて７ビットのシグナリングが必要とされる。
【０１２３】
その時、６ＧＨｚを上回るキャリア周波数範囲について、エントリのクラスタ内の使用されるＳＳラスタエントリを示す必要性はなく、したがって、ＳＳＢ−サブキャリア−オフセットをシグナリングするため、ＳＳ／ＰＢＣＨブロックがラスタ内にあるかどうかをシグナリングするため、またＲＭＳＩが存在するかどうかをシグナリングするため、ＲＭＳＩが存在しない場合、どの周波数範囲にＲＭＳＩが存在しないかをシグナリングするため、図１０の表に示されるように４ビットの指標シグナリングで十分である。
【０１２４】
要約すると、ジョイント符号化に関して以下の観察を行う。
【０１２５】
観察：６ＧＨｚを下回る場合、ＳＳ−サブキャリア−オフセット、エントリのクラスタ内のＳＳラスタエントリ、オンまたはオフＳＳラスタＳＳ／ＰＢＣＨブロック、およびＲＭＳＩ存在指標をＵＥにシグナリングするためには７ビットが必要とされる。
【０１２６】
観察：６ＧＨｚを上回る場合、ＳＳ−サブキャリア−オフセット、オンまたはオフＳＳラスタＳＳ／ＰＢＣＨブロック、およびＲＭＳＩ存在指標をＵＥにシグナリングするためには４ビットが必要とされる。
【０１２７】
以下で示される特許請求の範囲の範囲、解釈、または応用をいかようにも限定することなく、本明細書において開示される例示の実施形態のうち１つまたは複数の技術的効果さらに有利性は、ＵＥがＲＭＳＩを提供しない周波数範囲をスキップできることによりＵＥの初期セル探索が高度化されることである。
【０１２８】
本明細書における実施形態は、ソフトウェア（１つまたは複数のプロセッサによって実行される）、ハードウェア（例えば特定用途向け集積回路）、またはソフトウェアとハードウェアの組み合わせで実装することができる。例示の実施形態において、ソフトウェア（例えばアプリケーションロジック、命令セット）は様々な従来的なコンピュータ可読媒体のいずれかに維持される。本文書のコンテキストにおいて、「コンピュータ可読媒体」は、コンピュータなどの命令実行システム、装置、もしくはデバイスによる使用のため、またはそれらと併せて使用するための命令を含むことができる、記憶することができる、通信することができる、伝搬することができる、または伝送することができる、あらゆる媒体または手段であり得、コンピュータの一例が例えば図１に説明され描かれている。コンピュータ可読媒体は、コンピュータなどの命令実行システム、装置、もしくはデバイスによる使用のため、またはそれらと併せて使用するための命令を含むことができる、記憶することができる、および／または、伝送することができる、あらゆる媒体または手段であり得るコンピュータ可読記憶媒体（例えば、メモリ１２５、１５５、１７１または他のデバイス）を含む場合がある。コンピュータ可読記憶媒体は伝搬信号を含まない。
【０１２９】
所望であれば、本明細書において議論した様々な機能は、互いに異なる順序および／または同時的に実施してもよい。さらには、所望であれば、上述の機能の１つまたは複数は、任意選択である場合があり、または組み合わされてもよい。
【０１３０】
本発明の様々な態様が独立請求項において述べられるが、本発明の他の態様は、説明される実施形態および／または独立請求項の特徴を含む従属請求項からの特徴の他の組み合わせを含み、請求項において明示的に述べられる組み合わせだけではない。
【０１３１】
本明細書においては、上では本発明の例示の実施形態を説明したが、これらの説明は限定的な意味合いと見なされるべきではないことに留意されたい。むしろ、添付の特許請求の範囲において定義される本発明の範囲から逸脱することなくなされ得るいくつかの変形例および修正例が存在する。
【０１３２】
本明細書および／または図面において見られることがある以下の略称を次のように定義する：
３ＧＰＰ  第３世代パートナーシッププロジェクト
５Ｇ  第５世代
ＡＲＦＣＮ  絶対無線周波数チャネル番号
ＣＦＯ  キャリア周波数オフセット
ＣＯＲＥＳＥＴ  制御リソースセット
ＤＭＲＳ  復調用参照信号
ｅＮＢ（またはｅＮｏｄｅＢ）  エボルブドノードＢ（例えばＬＴＥ基地局）
ＦＢ  周波数帯域
ＦＲ  周波数範囲
ＧＨｚ  ギガヘルツ
ｇＮＢ（またはｇＮｏｄｅＢ）  ｎｅｗ  ｒａｄｉｏ／５Ｇ用のＮｏｄｅＢ（例えば、ＮＲ／５Ｇ基地局）
ＧＳＣＮ  グローバル同期チャネル番号
ＨＦ  半フレーム
ＩＤ  識別情報
Ｉ／Ｆ  インターフェース
ｋＨｚ  キロヘルツ
ＬＴＥ  ｌｏｎｇ  ｔｅｒｍ  ｅｖｏｌｕｔｉｏｎ
ＭＨｚ  メガヘルツ
ＭＭＥ  ｍｏｂｉｌｉｔｙ  ｍａｎａｇｅｍｅｎｔ  ｅｎｔｉｔｙ
ｍｓ  ミリ秒
ＮＣＥ  ネットワーク制御要素
ＮＲ  ｎｅｗ  ｒａｄｉｏ
Ｎ／Ｗ  ネットワーク
ＰＢＣＨ  物理ブロードキャストチャネル
ＰＤＣＣＨ  物理ダウンリンク制御チャネル
ＰＤＳＣＨ  物理ダウンリンク共有チャネル
ＰＲＢ  物理リソースブロック
ＰＳＳ  プライマリ同期信号
ＲＭＳＩ  残りのシステム情報
ＲＲＨ  リモート無線ヘッド
Ｒｘ  受信機
ＳＧＷ  サービングゲートウェイ
ＳＳ  同期信号
ＳＳＳ  セカンダリ同期信号
ＳＳＢ  ＳＳ／ＰＢＣＨブロック
Ｔｘ  送信機
ＵＥ  ユーザ機器（例えば、ワイヤレスの、典型的にはモバイルデバイス）
【図１】
2021511717.tif 000003
【図２】
2021511717.tif 000004
【図３】
2021511717.tif 000005
【図４】
2021511717.tif 000006
【図５】
2021511717.tif 000007
【図６】
2021511717.tif 000008
【図７】
2021511717.tif 000009
【図８】
2021511717.tif 000010
【図９】
2021511717.tif 000011
【図１０】
2021511717.tif 000012
【国際調査報告】
2021511717.tif 000013
2021511717.tif 000014
2021511717.tif 000015